(57)【要約】【課題】洗浄対象配管に洗浄水又は空気を混入させた洗浄水を強制的に循環させることにより当該配管内の付着物の除去と洗浄効果を高めた配管の内部洗浄装置を提供すること。【解決手段】洗浄対象配管（ｐ）に接続する吸入管路６に、洗浄水を導入する切り替え弁と、フィルタ及び第１電磁弁を順に介装し、洗浄対象配管に接続する吐出管路１２と吸入管路との間にベンチュリノズル１５と送水用ポンプ２５を並列に接続し、ベンチュリノズル内に連通するように設けた第２電磁弁に、空気導入管を接続すると共に当該導入管に逆止弁と手動開閉弁を順に介装し、吐出管路から分岐されて送水用ポンプの吸入管に接続されるリリーフ回路に送水用ポンプの吐出圧力の調整を施すリリーフ弁を介装した洗浄回路部５と、複数の洗浄パターンから入力手段３５によって選択される特定の洗浄パターンに基づき第１電磁弁及び第２電磁弁の開閉動作を自動制御する制御部３０とからなる。【選択図】図１
2012050925.tif 000002
【特許請求の範囲】
【請求項１】
洗浄対象の配管の出口部に接続する吸入管路に、タンクに貯留される洗浄水を当該管路に導入するための切り替え弁と、フィルタ及び第１電磁弁を順に介装し、洗浄対象の配管の入口部に接続する吐出管路と該吸入管路との間にベンチュリノズルと送水用ポンプとを並列に接続し、そのベンチュリノズル内の通路に連通するように設けた第２電磁弁に、外部から供給される圧縮空気を導入するための空気導入管を接続すると共に当該空気導入管に逆止弁と手動開閉弁を順に介装し、前記吐出管路から分岐されて前記送水用ポンプの吸入管に接続されるリリーフ回路に前記送水用ポンプの吐出圧力の調整を施すリリーフ弁を介装してなる洗浄回路部と、
予め設定された複数の洗浄パターンから入力手段によって選択される特定の洗浄パターンに基づいて第１電磁弁及び第２電磁弁の開閉動作を自動制御する制御部が本体ケースに設けられ、
洗浄対象の配管と前記吸入管路及び吐出管路からなる閉回路内に、前記洗浄水又は前記空気導入管から導入される空気を混入させた洗浄水を循環させることにより洗浄対象の配管内の付着物の除去と洗浄を施すことを特徴とする配管の内部洗浄装置。
【請求項２】
前記空気導入管の逆止弁と手動開閉弁との間に副空気導入管を接続すると共に当該副空気導入管に副手動開閉弁を介装したことを特徴とする請求項１に記載した配管の内部洗浄装置。
【請求項３】
前記本体ケースに内蔵したコンプレッサーによって前記空気導入管に圧縮空気を供給するように設けたことを特徴とする請求項１又は２に記載した配管の内部洗浄装置。
【発明の詳細な説明】
【技術分野】
【０００１】
本発明は、給湯器等の配管内壁のスケール等の付着物の除去と洗浄処理を施すために使用される配管の内部洗浄装置に関する。
【背景技術】
【０００２】
特許文献１には、給水管の給水栓に取り付けられる取付金具に接続された二又管の一方の口に逆止弁を介して圧縮ガス供給装置を接続すると共に当該二又管の他方の口に排出バルブを接続し、その圧縮ガス供給装置に、コンプレッサー、空気タンク、圧力調整弁、前記逆止弁に接続される電磁弁を順に配管すると共に当該電磁弁を所定パターンで開閉作動させる制御手段を備え、水圧のかかった給水管内に圧縮空気を断続的に噴出させることにより当該管内に付着したスケールを除去する給水管の内部洗浄装置が開示されている。
【０００３】
上記洗浄装置では、圧縮空気の微粒子気泡によってスケールを除去するとされているが、給水栓からの管内の奥方まで微粒子気泡が到達するのか明らかとされていなく、おそらく給水栓に近いところまでにしか除去処理が及ばないのではないか、と思われる。
【０００４】
特許文献２には、蛇口に接続するホースに接続した管路に電磁弁とコンプレッサーを介装し、コンプレッサーの圧縮空気を水の供給がされた状態の配管内に送り込むことにより当該配管内に付着したスケールを除去するという配管洗浄装置が開示されている。
【０００５】
上記洗浄装置においても特許文献１の洗浄装置と同様に、圧縮空気が水と混合した状態で蛇口からの配管の奥方まで到達するか否かについて明らかでなく、スケール等の付着物を管全体にわたって除去可能かについては定かでない。また、配管内に送り込まれた圧縮空気は、除去された付着物と一緒に他の蛇口から吐出されると説明されているが、付着物が蛇口の狭い弁通路に溜まって蛇口の開閉動作に支障をきたす等の問題が懸念される。
【先行技術文献】
【特許文献】
【０００６】
【特許文献１】特開２００３−８８８２２号公報
【特許文献２】特開２００４−１０５８８５号公報
【発明の概要】
【発明が解決しようとする課題】
【０００７】
本発明の目的は、洗浄対象配管に洗浄水又は気泡を混入させた洗浄水を強制的に循環させることにより当該配管内の付着物の除去と洗浄効果を高めた配管の内部洗浄装置を提供することにある。
【課題を解決するための手段】
【０００８】
前記目的を達成するために請求項１に記載した発明は、洗浄対象の配管の出口部に接続する吸入管路に、タンクに貯留される洗浄水を当該管路に導入するための切り替え弁と、フィルタ及び第１電磁弁を順に介装し、洗浄対象の配管の入口部に接続する吐出管路と該吸入管路との間にベンチュリノズルと送水用ポンプとを並列に接続し、そのベンチュリノズル内の通路に連通するように設けた第２電磁弁に、外部から供給される圧縮空気を導入するための空気導入管を接続すると共に当該空気導入管に逆止弁と手動開閉弁を順に介装し、前記吐出管路から分岐されて前記送水用ポンプの吸入管に接続されるリリーフ回路に前記送水用ポンプの吐出圧力の調整を施すリリーフ弁を介装してなる洗浄回路部と、
予め設定された複数の洗浄パターンから入力手段によって選択される特定の洗浄パターンに基づいて第１電磁弁及び第２電磁弁の開閉動作を自動制御する制御部が本体ケースに設けられ、
洗浄対象の配管と前記吸入管路及び吐出管路からなる閉回路内に、前記洗浄水又は前記空気導入管から導入される空気を混入させた洗浄水を循環させることにより洗浄対象の配管内の付着物の除去と洗浄を施すことを特徴とする。
【０００９】
同様の目的を達成するために請求項２に記載した発明は、請求項１に記載した配管の内部洗浄装置において、前記空気導入管の逆止弁と手動開閉弁との間に副空気導入管を接続すると共に当該副空気導入管に副手動開閉弁を介装したことを特徴とするものである。
【００１０】
コンプレッサー等から圧縮空気を得られない場合において、送水用ポンプの作動による負圧作用を利用して大気を副空気導入管から取り込み、取り込まれる空気がベンチュリノズルを介して洗浄水に混合された状態となって洗浄対象の配管と吸入管路及び吐出管路からなる閉回路内を強制的に循環することにより、洗浄対象とする配管内の付着物の除去と洗浄を効率よく施すことができる。
【００１１】
同様の目的を達成するために請求項３に記載した発明は、請求項１又は２に記載した配管の内部洗浄装置において、前記本体ケースに内蔵されたコンプレッサーによって前記空気導入管に圧縮空気を供給するように設けたことを特徴とするものである。
【００１２】
コンプレッサーを当該洗浄装置に内蔵する構成とすることにより、常に圧縮空気を得られるので利便性に優れる。
【発明の効果】
【００１３】
この配管の内部洗浄装置は、入力手段によって選択される洗浄パターンに基づいて、洗浄対象の配管と吸入管路及び吐出管路からなる閉回路内に、タンクから吐出管路内に取り込まれた洗浄水又は気泡を混入させた洗浄水を強制的に循環させることにより、洗浄対象の配管内にこびりついたスケール等の付着物の除去と洗浄を効率よく施すことができる。
【００１４】
加えて、洗浄対象の給湯機等の配管の汚れ具合に対応して複数の洗浄パターンから特定の洗浄パターンを選択して付着物の除去と洗浄処理を施すことができるので、大変使い勝手が良い。また、洗浄対象の配管から剥離して洗浄水に混入する付着物はフィルタによって取り除かれるので、除去処理が円滑に行なわれる。
【図面の簡単な説明】
【００１５】
【図１】本発明に係る配管の内部洗浄装置の説明図
【図２】各洗浄パターンにおけるタイムチャート
【発明を実施するための形態】
【００１６】
以下に、本発明の最良の形態例を図面に基づいて説明する。
【００１７】
本発明に係る配管の内部洗浄装置Ｃは、図１に示すように、本体ケース１内に洗浄回路部５と制御部３０を設け、本体ケース１の正面に入力手段３５を備えた概要構造とされている。洗浄対象の配管としては、主に給湯器、温水機等に使用されている小径の配管である。
【００１８】
（洗浄回路部）
図１に示すように、洗浄回路部５には、主たる吸入管路６と吐出管路１２を設けている。その吸入管路６には、小型タンク８に貯留される洗浄水を吸入管路６に導入するための切り替え弁７と、フィルタ９及び常時開の第１電磁弁１０を順に介装している。そして、切り替え弁７の接続口には、洗浄対象の配管（ｐ）の出口部（ｏ）と接続するためのホース（ａ）等が取り付けることができるように設けられている。
【００１９】
なお、洗浄水としては、水道水を使用することを基本としているが、洗浄用溶液を使用することも可能である。
【００２０】
吐出管路１２と吸入管路６との間には、ベンチュリノズル１５と送水用ポンプ２５とを並列に接続している。ベンチュリノズル１５内の通路１５ａに連通するように設けられた常時閉の第２電磁弁１６の入口ポートには、別途外部に設置されるコンプレッサー（ｃ）等から供給される圧縮空気を導入するための空気導入管１７の一端を接続している。空気導入管１７には、逆止弁１８と手動開閉弁１９を順に介装している。逆止弁１８と手動開閉弁１９との間には、副空気導入管２０の一端が接続されている。２１は副空気導入管２０の他端の入口側に介装された副手動開閉弁である。
【００２１】
吐出管路１２に設けた接続継手１３には、洗浄対象の配管（ｐ）の入口部（ｉ）と接続するためのホース（ｂ）等が取り付けられるように設けられている。
【００２２】
２６は吐出管路１２から分岐されて送水用ポンプ２５の吸入管２４に接続されるリリーフ回路である。２７は送水用ポンプ２５の吐出圧力の調整を施すためにリリーフ回路２６に介装されたリリーフ弁である。
【００２３】
（制御部）
制御部３０については、後述する予め設定された複数の洗浄パターンから押釦等を備えた入力手段３５により選択される特定の洗浄パターンに基づいて前記第１電磁弁１０及び第２電磁弁１６の開放及び閉止動作を自動制御するように設けられている。
なお、具体的な電子制御回路については、一般的な電子技術に属する内容であることから説明を省略する。
【００２４】
しかして、洗浄処理を施す当初の準備段階でタンク８から吸入管路６に取り込まれた洗浄水、又はコンプレッサー（ｃ）から供給される圧縮空気若しくは副空気導入管２０から取り込まれる空気を混合させた洗浄水を送水用ポンプ２５の作動によって洗浄対象の配管（ｐ）と吸入管路６及び吐出管路１２からなる閉回路内に特定の洗浄パターンに基づいて循環させることにより、洗浄対象の配管（ｐ）内の付着物の除去と洗浄を施す本発明に係る配管の内部洗浄装置Ｃが構成される。
【００２５】
洗浄対象の配管（ｐ）の内壁から除去される付着物を含んだ洗浄水は、フィルタ９によって濾過されて前記閉路内を循環する。また、洗浄水から分離された付着物は、フィルタ９内に貯留されるので、適宜廃棄処分を行なうものとする。
【００２６】
本発明に係る配管の内部洗浄装置Ｃにおける洗浄パターンとしては、３つのパターンがある。各パターンを図２に示すタイムチャートに基づいて説明する。最初に、送水用ポンプ２５を作動させて吐出管路１２を負圧に保持した状態とし、その後に、切り替え弁７を操作してタンク８に貯留される洗浄水を吸入管路６に導入する操作を行なう。
【００２７】
（洗浄パターン１）
入力手段３５により洗浄パターン１が選択されると、送水用ポンプ２５の運転により洗浄水がフィルタ９及び常時開の第１電磁弁１０を通り吸入管路６から吐出管路１２に所定圧力で送られる。このときに、第１電磁弁１０が制御部３０によって所定時間内に５秒間閉止と５秒間開放の動作を繰り返し行なうように制御されるので、洗浄水は脈動しつつ吸入管路６内を通過する。
しかして、洗浄水が閉回路内を所定時間にわたり循環することにより、洗浄対象の配管（ｐ）内の付着物の除去と洗浄処理が簡易に施される。
【００２８】
なお、第１電磁弁１０の閉止と開放動作時間については、上記時間に限らず、図示しないタイマーにより調整可能に設けるものとする。
【００２９】
（洗浄パターン２）
入力手段３５により洗浄パターン２が選択されると、送水用ポンプ２５の運転により洗浄水がフィルタ９及び常時開の第１電磁弁１０を通り吸入管路６から吐出管路１２に所定圧力で送られる。これと同時に、第２電磁弁１６が制御部３０によって所定時間内に５秒間閉止と１秒間開放の動作を繰り返し行なうように制御されるので、コンプレッサー（ｃ）から供給される圧縮空気が空気導入管１７からベンチュリノズル１５を通って吐出管路１２に気泡状態で脈動しつつ送り込まれる。
しかして、気泡が混入した洗浄水が閉回路内を所定時間だけ循環することにより、洗浄対象の配管（ｐ）内の付着物の除去と洗浄処理が効率よく施される。
【００３０】
なお、第２電磁弁１６の閉止と開放動作時間については、図示しないタイマーにより調整可能に設ける。
【００３１】
（洗浄パターン３）
入力手段３５により洗浄パターン３が選択されると、送水用ポンプ２５の運転により洗浄水がフィルタ９を通り吸入管路６から吸入管２２を経て吐出管路１２に所定圧力で送られる。このときに、常時開の第１電磁弁１０が所定時間内に５秒間閉止と５秒間開放の動作を繰り返し行なうように制御されるので、洗浄水は脈動しつつ吸入管路６から吐出管路１２内を通過する。これと同時に、第２電磁弁１６が制御部３０によって所定時間内に５秒間閉止と１秒間開放の動作を繰り返し行なうように制御されるので、コンプレッサー（ｃ）から供給される圧縮空気が空気導入管１７からベンチュリノズル１５を通って吐出管路１２に気泡状態で脈動しつつ送り込まれる。
しかして、気泡が混入した洗浄水が閉回路内を所定時間にわたり循環することにより、配管（ｐ）内の付着物の除去と洗浄処理が強力に施される。
【００３２】
なお、コンプレッサー（ｃ）を利用できなくて圧縮空気が得られない場合には、送水用ポンプ２５の作動による負圧作用を利用して大気を副空気導入管２０からベンチュリノズル１５に取り込むことができるので、利便性が良い。
【符号の説明】
【００３３】
Ｃ・・・本発明に係る配管の内部洗浄装置
５・・・洗浄回路部
６・・・吸入管路
８・・・タンク
９・・・フィルタ
１０・・・第１電磁弁
１２・・・吐出管路
１５・・・ベンチュリノズル
１６・・・第２電磁弁
１７・・・空気導入管
２０・・・副空気導入管
２４・・・吸入管
２５・・・送水用ポンプ
２６・・・リリーフ回路
２７・・・リリーフ弁
３０・・・制御部
３５・・・入力手段
ｃ・・・コンプレッサー
ｐ・・・洗浄対象の配管
【図１】
2012050925.tif 000003
【図２】
2012050925.tif 000004